(57)【要約】【課題】容易に使用でき、時間を削減し、そして、リソース使用量およびプルーフ実行のコストを削減するプルーフコピーを印刷するための方法を提供する。【解決手段】プリントショップにおいて実行されるプルーフコピー印刷方法である。リソース使用量を削減する一方、プリントジョブのプルーフコピーを印刷することをユーザが所望する場合、ユーザは、リソース使用量の削減を達成させる多数のパラメータをユーザが便利にセットすることを可能とするＧＵＩスクリーンを、アクティブにする。プルーフコピーを印刷する場合、ＧＵＩスクリーン上にセットされた値は、ジョブチケット自体を変更することなく、ジョブチケットにおいて指定される対応するパラメータ値を、一時的にオーバーライドするために使用される。ユーザがジョブを通常通りに印刷することを所望する場合、ユーザは、ＧＵＩスクリーンをアクティブにし、プルーフモードをキャンセルする。その後、システムは、ジョブチケットにおいて指定されるジョブパラメータ値を使用し、ジョブを印刷する。【選択図】図１Ｂ
2010092457.tif 000002
【特許請求の範囲】
【請求項１】
プリントショップ管理システムにおいてプリントジョブを印刷する方法であって、
前記プリントジョブは、複数のジョブパラメータ値を指定するジョブチケットを含んでおり、
（ａ）ジョブチケットを含んでいるプリントジョブを受信するステップ、
（ｂ）複数のジョブパラメータのサブセット値を指定している１つ以上のユーザ入力を受信するステップ、および、
（ｃ）前記ジョブチケットを変更することなく、前記ユーザ入力により指定される値によってオーバーライドされた前記ジョブパラメータのサブセットを使用し、前記ジョブチケットにおいて指定された前記ジョブパラメータに従って、前記プリントジョブを印刷するステップ、
を有することを特徴とする方法。
【請求項２】
前記ジョブパラメータのサブセットは、リソース使用量を削減するプルーフ印刷を定義することを特徴とする請求項１に記載の方法。
【請求項３】
前記ジョブパラメータのサブセットは、印刷タイプ、Ｎ−ｉｎ−１印刷、トナーセーブモード、カラーおよびステープルの１つ以上を含んでいることを特徴とする請求項２に記載の方法。
【請求項４】
前記ステップ（ｂ）は、
（ｂ１）第１ユーザ入力を受信し、入力スクリーンをアクティブにするステップ、
（ｂ２）前記ジョブパラメータのサブセット値を入力するための１つ以上の入力手段を含んでいる前記入力スクリーンを表示するステップ、および、
（ｂ３）前記入力手段を経由し、１つ以上の第２ユーザ入力を受信するステップ、
を有しており、
前記第２ユーザ入力は、前記ジョブパラメータのサブセットの１つ以上の値を指定する
ことを特徴とする請求項１〜３のいずれか１項に記載の方法。
【請求項５】
（ｄ）前記ステップ（ｃ）の後、前記ジョブチケットにおいて指定される前記ジョブパラメータに従って、前記プリントジョブを印刷するステップを、さらに有することを特徴とする請求項１〜４のいずれか１項に記載の方法。
【請求項６】
前記ステップ（ｄ）は、前記ジョブチケットにおいて指定される前記ジョブパラメータ値が印刷のために使用されることになっていることを示している第３ユーザ入力を、受信するステップを、含んでいることを特徴とする請求項５に記載の方法。
【請求項７】
（ｅ）前記ステップ（ｂ）において受信した１つ以上のユーザ入力に従って、前記プリントジョブのプレビューを表示するステップを、さらに有することを特徴とする請求項１〜６のいずれか１項に記載の方法。
【請求項８】
（ｆ）前記ステップ（ｂ）において受信した１つ以上のユーザ入力に無関係に、前記ジョブチケットにおいて指定されるジョブパラメータに従って、前記プリントジョブのプレビューを表示するステップを、さらに有することを特徴とする請求項１〜６のいずれか１項に記載の方法。
【請求項９】
プリントショップ管理システムを使用してプリントジョブを印刷する方法であって、
前記プリントジョブは、複数のジョブパラメータ値を指定するジョブチケットを含んでおり、
（ａ）プリントショップ管理システムの入力スクリーンを、ユーザがアクティブにし、前記入力スクリーンは、前記ジョブパラメータのサブセット値を入力するための１つ以上の入力手段を含んでいるステップ、
（ｂ）設定選択入力手段をユーザが選択するステップ、
（ｃ）複数の入力手段を使用し、複数のジョブパラメータのサブセット値をユーザが入力するステップ、
（ｄ）印刷のための前記ジョブをユーザが提出するステップ、および、
（ｅ）前記ジョブチケットを変更することなく、前記ユーザ入力により指定される値によってオーバーライドされた前記ジョブパラメータのサブセットを使用し、前記ジョブチケットにおいて指定された前記ジョブパラメータに従って、前記プリントジョブを、前記プリントショップ管理システムが印刷するステップ、
を有することを特徴とする方法。
【請求項１０】
前記ジョブパラメータのサブセットは、リソース使用量を削減するプルーフ印刷を定義することを特徴とする請求項９に記載の方法。
【請求項１１】
前記ジョブパラメータのサブセットは、印刷タイプ、Ｎ−ｉｎ−１印刷、トナーセーブモード、カラーおよびステープルの１つ以上を含んでいることを特徴とする請求項９に記載の方法。
【請求項１２】
前記ステップ（ｅ）の後において、
（ｆ）前記プリントショップ管理システムの入力スクリーンを、ユーザがアクティブにするステップ、
（ｇ）前記設定選択入力手段を、ユーザが非選択状態にするステップ、
（ｈ）印刷のための前記ジョブをユーザが提出するステップ、および、
（ｉ）前記ジョブチケットにおいて指定される前記ジョブパラメータに従って、前記プリントショップ管理システムが、前記プリントジョブを印刷するステップ、
をさらに有することを特徴とする請求項９〜１１のいずれか１項に記載の方法。
【請求項１３】
プリントショップのデータ処理装置によってプリントジョブを印刷するためのプロセスを実行させるために構成されるコンピュータプログラムであって、
前記プリントジョブは、複数のジョブパラメータ値を指定するジョブチケットを含んでおり、
前記プロセスは、
（ａ）ジョブチケットを含んでいるプリントジョブを受信するステップ、
（ｂ）複数のジョブパラメータのサブセット値を指定している１つ以上のユーザ入力を受信するステップ、および、
（ｃ）前記ジョブチケットを変更することなく、前記ユーザ入力により指定される値によってオーバーライドされた前記ジョブパラメータのサブセットを使用し、前記ジョブチケットにおいて指定された前記ジョブパラメータに従って、前記プリントジョブを印刷するステップ、
を有することを特徴とするコンピュータプログラム。
【請求項１４】
前記ジョブパラメータのサブセットは、リソース使用量を削減するプルーフ印刷を定義することを特徴とする請求項１３に記載のコンピュータプログラム。
【請求項１５】
前記ジョブパラメータのサブセットは、印刷タイプ、Ｎ−ｉｎ−１印刷、トナーセーブモード、カラーおよびステープルの１つ以上を含んでいることを特徴とする請求項１４に記載のコンピュータプログラム。
【請求項１６】
前記ステップ（ｂ）は、
（ｂ１）第１ユーザ入力を受信し、入力スクリーンをアクティブにするステップ、
（ｂ２）前記ジョブパラメータのサブセット値を入力するための１つ以上の入力手段を含んでいる前記入力スクリーンを表示するステップ、および、
（ｂ３）前記入力手段を経由し、１つ以上の第２ユーザ入力を受信するステップ、
を有しており、
前記第２ユーザ入力は、前記ジョブパラメータのサブセットの１つ以上の値を指定する
ことを特徴とする請求項１３〜１５のいずれか１項に記載のコンピュータプログラム。
【請求項１７】
前記プロセスは、（ｄ）前記ステップ（ｃ）の後、前記ジョブチケットにおいて指定される前記ジョブパラメータに従って、前記プリントジョブを印刷するステップを、さらに有することを特徴とする請求項１３〜１６のいずれか１項に記載のコンピュータプログラム。
【請求項１８】
前記ステップ（ｄ）は、前記ジョブチケットにおいて指定される前記ジョブパラメータ値が印刷のために使用されることになっていることを示している第３ユーザ入力を、受信するステップを、含んでいることを特徴とする請求項１７に記載のコンピュータプログラム。
【請求項１９】
前記プロセスは、（ｅ）前記ステップ（ｂ）において受信した１つ以上のユーザ入力に従って、前記プリントジョブのプレビューを表示するステップを、さらに有することを特徴とする請求項１３〜１８のいずれか１項に記載のコンピュータプログラム。
【請求項２０】
前記プロセスは、（ｆ）前記ステップ（ｂ）において受信した１つ以上のユーザ入力に無関係に、前記ジョブチケットにおいて指定されるジョブパラメータに従って、前記プリントジョブのプレビューを表示するステップを、さらに有することを特徴とする請求項１３〜１８のいずれか１項に記載のコンピュータプログラム。
【請求項２１】
請求項１３〜２０のいずれか１項に記載のコンピュータプログラムを記録したコンピュータ読み取り可能な記録媒体。
【発明の詳細な説明】
【技術分野】
【０００１】
発明の背景
発明の分野
本発明は、プリントジョブの処理方法および処理装置に関し、より詳細には、リソース使用量を削減して、ドキュメントのプルーフコピーを印刷するためのプリントショップにおいて実施されるプリントジョブの処理方法および装置に関する。
【背景技術】
【０００２】
関連技術の説明
複数のプリンタを使用する多数のプリントジョブを処理する環境において、統制された方法でプリントジョブを効率的に管理するニーズが存在する。上記の環境の一例は、専門のプリントショップや、大きな組織の印刷／コピー部門であり、そこにおいては、大量の複製および大冊のドキュメントの印刷等の各種の印刷リクエストを、短いターンアラウンドタイムの範囲内で、複数のプリンタを使用して処理および完了することを必要とする。これらの環境は、本出願において、「プリントショップ」として総称する。プリントショップ管理システムにより処理される各プリントジョブは、ジョブチケットによって記述され、当該ジョブチケットは、印刷されるドキュメントを含んでいるソースファイル、ドキュメントが印刷される用紙のサイズ、カラーおよびタイプ、印刷解像度、両面あるいは片面印刷、および、例えば、ブック、ステープル、丁合印刷等の特定のフィニッシング条件を、プリントジョブのリクエスタのニーズに従って、指定する。これらのジョブパラメータに関して各々異なっているプリントジョブを大量に処理するために、プリントショップは、モノクロおよびカラープリンタを含んでいる多数の市販グレードのプリンタを使用する。これらのプリンタの各々は、例えば、用紙サイズ、用紙タイプ、解像度の設定等の利用可能なプリンタ設定に関する制限を有する。加えて、プリントショップは、例えば、丁合機、ステープラ、ホールパンチャ、フォールディングマシン、バインディングマシン等の各種のフィニッシング装置を使用する。プリントショップ管理システムは、プリンタに接続される制御用コンピュータ等のプリントショップ管理装置において、通常実行され、各プリントジョブを、１つ以上のプリンタおよびフィニッシング装置に提出し（すなわち割り当てて）、プリントジョブを生成する。
【０００３】
リソースを削減することを目的とする印刷方法が、記載されている。米国特許第７０６２１９０号明細書（米国特許出願公開第２００２／００７１６８９号明細書）（特許文献１）は、「リソース量をユーザが指示することを可能とするリソース量指示キー、指示されたリソース量による画像形成を可能とする複数の設定オプションの表示を制御するためのディスプレーコントロールキー、表示された複数の設定オプションから所望の設定オプションをユーザが選択することを可能とするための選択キー、および、選択キーによって選択された設定オプションを使用して画像形成設定を実行するための設定キー、を含んでいる画像形成装置」（要約）を記載している。
【先行技術文献】
【特許文献】
【０００４】
【特許文献１】米国特許第７０６２１９０号明細書
【発明の概要】
【発明が解決しようとする課題】
【０００５】
概要
したがって、本発明は、関連技術における制限および不利な点に起因する１つ以上問題を、実質的に除去するドキュメントのプルーフコピーを印刷するための印刷方法を対象としている。
【０００６】
本発明の目的は、容易に使用でき、時間を削減し、そして、リソース使用量およびプルーフ実行のコストを削減するプルーフコピーを印刷するための方法を提供することである。
【課題を解決するための手段】
【０００７】
本発明の付加的な特徴および有利な点は、後に続く説明に記載されており、ある程度、前記説明から明らかになり、あるいは、本発明の実施によって知ることが可能である。本発明の前記目的および他の利点は、添付の図面と同様に、それの説明文および請求の範囲において詳しく指摘される構成によって、実現化されかつ達成される。
【０００８】
具体的に表現されかつ広範に説明されているこれらおよび／または他の目的を達成するために、本発明は、プリントショップ管理システムにおいてプリントジョブを印刷する方法を提供し、前記プリントジョブは、複数のジョブパラメータ値を指定するジョブチケットを含んでおり、前記方法は、（ａ）ジョブチケットを含んでいるプリントジョブを受信するステップ、（ｂ）複数のジョブパラメータのサブセット値を指定している１つ以上のユーザ入力を受信するステップ、および、（ｃ）前記ジョブチケットを変更することなく、前記ユーザ入力により指定される値によってオーバーライドされた前記ジョブパラメータのサブセットを使用し、前記ジョブチケットにおいて指定された前記ジョブパラメータに従って、前記プリントジョブを印刷するステップ、有する。前記ジョブパラメータのサブセットは、リソース使用量を削減するプルーフ印刷を定義する。前記方法は、前記ステップ（ｃ）の後、前記ジョブチケットにおいて指定される前記ジョブパラメータに従って、前記プリントジョブを印刷するステップを、さらに有する。
【０００９】
別の様相において、本発明は、データ処理装置に上記方法を実行させるコンピュータプログラムを提供する。
【００１０】
別の様相においては、本発明は、上記コンピュータプログラムを記録したコンピュータ読み取り可能な記録媒体を提供する。
【００１１】
別の態様においては、本発明は、プリントショップ管理システムを使用してプリントジョブを印刷する方法を提供し、前記プリントジョブは、複数のジョブパラメータ値を指定するジョブチケットを含んでおり、前記方法は、（ａ）プリントショップ管理システムの入力スクリーンを、ユーザがアクティブにし、前記入力スクリーンは、前記ジョブパラメータのサブセット値を入力するための１つ以上の入力手段を含んでいるステップ、（ｂ）設定選択入力手段をユーザが選択するステップ、（ｃ）複数の入力手段を使用し、複数のジョブパラメータのサブセット値をユーザが入力するステップ、（ｄ）印刷のための前記ジョブをユーザが提出するステップ、および、（ｅ）前記ジョブチケットを変更することなく、前記ユーザ入力により指定される値によってオーバーライドされた前記ジョブパラメータのサブセットを使用し、前記ジョブチケットにおいて指定された前記ジョブパラメータに従って、前記プリントジョブを、前記プリントショップ管理システムが印刷するステップ、を有する。前記ジョブパラメータのサブセットは、リソース使用量を削減するプルーフ印刷を定義する。前記方法は、前記ステップ（ｅ）の後において、（ｆ）前記プリントショップ管理システムの入力スクリーンを、ユーザがアクティブにするステップ、（ｇ）前記設定選択入力手段を、ユーザが非選択状態にするステップ、（ｈ）印刷のための前記ジョブをユーザが提出するステップ、および、（ｉ）前記ジョブチケットにおいて指定される前記ジョブパラメータに従って、前記プリントショップ管理システムが、前記プリントジョブを印刷するステップ、をさらに有する。
【００１２】
前述の概略的記述および以下の詳細な記述の両方は、代表的および説明的であり、特許請求される本発明の説明を、さらに提供することを目的とすることが理解されるだろう。
【図面の簡単な説明】
【００１３】
【図１Ａ】プルーフモードにおけるジョブパラメータをセットしてジョブを提出するプロセスを示している流れ図である。
【図１Ｂ】プルーフ実行後におけるプルーフモードをキャンセルする方法を示している流れ図である。
【図２】プルーフモードにおいてジョブを提出するためと、プルーフモードをキャンセルするためと、に使用するＧＵＩスクリーンを示している図である。
【図３】本発明の実施形態を実行することが可能であるプリントショップシステムを示しているブロック図である。
【発明を実施するための形態】
【００１４】
好ましい実施形態の詳細な説明
図３は、本発明の実施形態を実行することが可能であるプリントショップシステムを示している。プリントショップシステムは、プリントショップ管理装置１（例えば、制御用コンピュータ）と、プリンタ２と、データ通信回線や、ＬＡＮ（ローカルエリアネットワーク）等のネットワークによって相互に接続されるプリントショップの他のデバイスと、を、含んでいる。本方法は、プリントショップ管理装置１の記憶装置（例えば、ハードディスクドライブ）に格納され、プリントショップ管理装置１によって実行されるプリントショップ管理システムソフトウェアにより実施される。
【００１５】
プリントショップ管理システムを使用してプリントジョブを取り扱う場合、ユーザは、レビュー目的のため、ドキュメントの１つ以上のプルーフコピー（プレビューコピーあるいはドラフトコピーとも称する）を印刷することを求めることが可能である。プルーフは、場合によって、最終的な印刷物と同一でなければならない。しかし、その他の場合、プルーフは、最高品質である必要はなく、例えば、それらは判読可能であることを必要とするだけかもしれない。後者の場合において、ユーザが、印刷リソースの使用量を削減し、プリントジョブの全体的なコストを削減することが可能であれば、それは望ましい。
【００１６】
与えられた各プリントジョブのために、多数のジョブパラメータを調整し、リソース使用量を削減することが可能である。これらのパラメータは、例えば、印刷タイプ（片面、両面、その他）、２−ｉｎ−１（あるいは一般的にＮ−ｉｎ−１、すなわち、縮小されたサイズで、各シートに２つ以上のページを印刷すること）、トナーセーブ（トナーセーブモードを使用すること）、カラー（カラーを含む場合であっても、白黒でドキュメントを印刷すること）、および、ステープル（例えばそれをオフにすること）、を含んでいる。通常のプリントショップ管理システムにおいて、ユーザは、プリントジョブのプルーフ実行のためのリソース使用量を削減することを欲する場合、ジョブチケットにおけるこれらのパラメータを変更することが可能である。しかし、前記の通常システムに係る１つの問題は、ソフトウェアＧＵＩ（グラフィカルユーザインタフェース）の異なるスクリーンに、これらの設定が表示される場合が多く、設定の全てを変更することは面倒であり、かつ、多大な時間を必要とする可能性があることである。別の問題は、ユーザがプルーフ印刷のために設定のどれかを変更する場合、ユーザは、その後、実際のプリントジョブが処理される際、ＧＵＩの異なるスクリーンへ進むことによって、設定を再変更する必要があることである。これは、実際のプリントジョブを実行する前に設定を再変更することを忘れているユーザによって引き起こされるエラー（および関連するコスト）のための可能性を増加させる。
【００１７】
本発明の実施形態は、プルーフ実行を印刷する場合に、リソース使用量を削減するための使い勝手の良い方法を、提供する。プルーフ実行のために調整可能である全ての設定は、ＧＵＩの単一のスクリーン（本願明細書において、印刷リソース最小化設定スクリーンで参照する）上に表示される。チェックボックスを選択することによって、ジョブチケットにより指定されるこれらの設定値は、印刷リソース最小化設定スクリーンにセットされる値によって、一時的にオーバーライドされる。ジョブチケット自体は、変更されない。プルーフ実行が完了し、かつ、ユーザが通常通りにジョブを処理することを所望する場合、ユーザは、チェックボックスを非選択状態にし、全ての関連した設定値は、ジョブチケットにおいて指定される値にリストアされる。
【００１８】
プルーフコピー印刷方法は、図１Ａ、図１Ｂおよび図２に関して、さらに詳細に記載されている。図１Ａは、プルーフ実行のため（すなわちプルーフモードにおける印刷のため）、特定のジョブパラメータをセットし、ジョブを提出するプロセスを示している。図１Ｂは、プルーフ実行後においてプルーフモードをキャンセルし、ノーマル印刷のためにジョブを提出することを可能とする方法を示している。図２は、プルーフ実行のためにジョブを提出するためと、プルーフモードをキャンセルするためとに使用されるＧＵＩスクリーンを示している。
【００１９】
図１Ａに示されるように、リソース使用量を削減してプルーフとしてのジョブを印刷することをユーザが所望する場合、ユーザは、プルーフ印刷のためのジョブパラメータをセットするため、この例では印刷リソース最小化設定スクリーンとして参照されるＧＵＩスクリーンをアクティブにする（ステップＳ１１）。図２に示される例において、印刷リソース最小化設定スクリーンは、ジョブチケット編集ウィンドウ２０のボタン２１（印刷リソース最小化のラベルが付せられた）をクリックすることによって、アクティブになる。ボタン２１がクリックされると、プルーフモードに関連するユーザ入力を受信するために、各種の入力手段が、ウィンドウ２０の領域に表示される。ディスプレイは、設定選択入力手段２２（この例ではチェックボックス）を含んでいる。設定選択入力手段は、状況に応じてチェックボックス２２の隣に説明文を含むことが可能である。この例では、テキストは、「このチェックボックスが選択されると、このスクリーンにおいて選択された設定が、ジョブチケットにおいてセットされた値を、オーバーライドすることになります。チェックボックスを非選択状態にして、ジョブチケット値をリストアしてください」となっている。設定選択チェックボックス２２は、デフォルトでは、非選択状態である。それが非選択状態である場合、印刷リソース最小化設定のディスプレイ領域上の他の入力手段は、非能動状態（グレーアウト）である。
【００２０】
次に、ユーザは、設定選択チェックボックス２２を選択（チェック）する（ステップＳ１２）。これは、ユーザが、プルーフ印刷モードを使用することを所望することを、すなわち、このＧＵＩスクリーンにおいてセットされたパラメータ値が、ジョブチケットにおいて指定される値を、オーバーライドすることを許容することを示している。このチェックボックスが選択されると、ジョブパラメータをユーザが入力するため、ＧＵＩ上の多くの入力手段２３−２７が、能動状態となる（非グレーアウト）。その後、ユーザは、各種の入力手段２３−２７を使用し、各種のジョブパラメータをセットする（ステップＳ１３）。
【００２１】
カラーインテント入力手段２３は、白黒、カラーおよび混在（ドキュメント内に白黒とカラーの両方）での印刷を選択するための複数の放射状ボタンを含んでいる。ドキュメントはカラーページを含んでいるが、カラーがプルーフのために不可欠でない場合、ユーザは白黒ボタンを選択することが可能である。「２−ｉｎ−１」入力手段２４は、Ｎ−ｉｎ−１印刷を所望しているか否かをユーザが指示するためのチェックボックスと、例えば、２−ｉｎ−１、４−ｉｎ−１等の１シート当たりのページ数を、ユーザが指示するためのドロップダウンメニュー（チェックボックスがチェックされている場合は非グレーアウト）とを含んでいる。印刷タイプ入力手段２５は、印刷が片面、両面、その他であるか否かをユーザが指示するためのドロップダウンメニューを含んでいる。トナーセーブ入力手段２６は、トナーセーブモードでの印刷を所望しているか否かをユーザが指示するためのチェックボックスと、トナーセーブモードのタイプ、例えばタイプ１、タイプ２等をユーザが指示するためのドロップダウンメニュー（チェックボックスがチェックされている場合は非グレーアウト）と、を含んでいる（トナーセーブモードの異なるタイプは、異なる方法を使用し、あるいは、トナー削減の異なる程度を提供する）。ステープル入力手段２７は、印刷コピーがステープルされるか否かをユーザが指示するためのチェックボックスと、例えば１、２等のステープル数をユーザが指示するためのドロップダウンメニュー（チェックボックスがチェックされている場合は非グレーアウト）と、を含んでいる。
【００２２】
実施形態によっては、ドキュメントプレビュー２９が、ジョブチケット編集ウィンドウ２０に提供される。ドキュメントプレビューは、プルーフ印刷設定に関し、異なる方法で実施することが可能である。一実装において、ドキュメントプレビュー２９の外観は、印刷リソース最小化設定スクリーン上の各種の設定が変更される場合に、アップデートされる。例えば、白黒ボタンがカラーインテント入力手段２３において選択される場合、ドキュメントプレビューは、白黒のプレビュー画像を表示し、また、カラーが選択される場合、カラープレビュー画像を表示する。同様に、２−ｉｎ−１設定が選択される場合、プレビュー画像は、２−ｉｎ−１レイアウトを示すことになる。ドキュメントプレビューは、ユーザがセーブボタン２８をクリックすることなしで、自動的にアップデートされる。状況に応じて、テキスト「プルーフの印刷」等の表示を、ドキュメントプレビュー２９に隣接して表示することで、印刷リソース最小化設定を反映しているプルーフコピーが、プレビューされていることを、ユーザは容易に認識することが可能である。この実装は、各種の印刷リソース最小化設定が、プルーフ印刷にどの程度の影響を及ぼすかを、ユーザが視覚化することを可能とする。
【００２３】
代替の実装において、ドキュメントプレビュー２９は、印刷リソース最小化設定スクリーンにおいて指定されたものではなく、ジョブチケットにおいて指定された設定に係るプレビュー画像を、常に表示する。したがって、例えば、オリジナルのジョブチケット設定がカラーであると、ユーザが、カラーインテント入力２３のための白黒ボタンを選択する場合であっても、カラーのプレビュー画像が表示されることになる。
【００２４】
パラメータ値がセットされた後で、ユーザは、セーブボタン２８をクリックし、前記値を適用する（ステップＳ１４）。プリントショップ管理システムは、印刷リソース最小化設定スクリーン上でユーザによってセットされ、ジョブチケットにおける対応するパラメータ値をオーバーライドするパラメータ値を使用し、プルーフとしてジョブを印刷する（ステップＳ１５）。ジョブチケット自体は、変更されない。
【００２５】
図１Ｂに示されるように、プルーフコピーが印刷された後において、ユーザが、ジョブチケットにおいて指定されたパラメータ値を使用するノーマルジョブとして、ジョブを印刷することを所望する場合、ユーザは、印刷リソース最小化設定ＧＵＩスクリーンを、再度アクティブにする（ステップＳ１６）。ユーザは、設定選択チェックボックス２２を非選択状態にし（チェックを外し）（ステップＳ１７）、プルーフ印刷モードをキャンセルする。設定選択チェックボックス２２が非選択状態である場合、入力手段２３−２７は、無効になり、ユーザは、それらの値を個別にリセットする必要はない。ユーザは、セーブボタン２８をクリックし（ステップＳ１８）、ジョブチケット（ユーザがプルーフ実行を提出した時に保存された）において指定される値が、これらのパラメータのためにリストアされることになっていることを示す。プリントショップ管理システムは、ジョブチケットにおいて指定されるパラメータ値を普通に使用し、ドキュメントを印刷する（ステップＳ１９）。一実装において、印刷ステップ（ステップＳ１９）を、ユーザがセーブボタン２８をクリックした直後に、発生させことが可能である。別の実装において、セーブボタン２８をクリックすることは、前記値を、ジョブチケットにおいて指定されるそれらに単にリストアするだけであり、当該システムは、ジョブを実際に印刷する前に、後続の処理ステップを順当に実行する（例えば、ジョブが割り当てられる単一あるいは複数のプリンタとフィニッシングデバイスとを決定し、その他の管理ポリシーをプリントジョブに適用する等）。
【００２６】
あるいは、印刷リソース最小化設定ＧＵＩスクリーンを使用してプルーフモードをキャンセルする代わりに、異なるスクリーンを使用し、あるいは、ボタン（例えば、ボタンに、ラベル「標準印刷のために提出、印刷リソース最小化設定を無視」を付すことが可能である）を使用し、印刷リソース最小化設定スクリーンにおいて前もって指定された設定が無視される標準印刷のためのプリントジョブを提出することが可能である。別の実施形態において、プルーフコピーの印刷の後、プリントショップ管理システムは、関連したパラメータをジョブチケットにおいて指定される値に、自動的にリストアする。換言すれば、印刷リソース最小化設定スクリーンにおいて指定される設定は、一度だけ適用される。したがって、ユーザは、プルーフ印刷モードをキャンセルするために、積極的な何らかのことを実行する必要はない。ユーザが別のプルーフコピーを印刷することを必要とする場合、ユーザは、ステップＳ１１〜Ｓ１４を再実行する。
【００２７】
留意すべきことは、ディスプレイおよび入力手段の具体例が記載され、また、図２に示されているが、本発明は、ユーザインターフェースディスプレイの細目に限定されないことである。本発明は、ユーザインターフェースディスプレイが、ユーザによって各種の設定を指定することを可能とする入力手段を含んでいる限り、どのようなユーザインターフェースディスプレイの形態を使用しても、実施することが可能である。入力手段は、ボタン、チェックボックス、ラジオボタン、テキスト入力フィールド、ドロップダウンメニュー、ポップアップメニュー、アイコン、異なるシートや別個のウィンドウ等を提示するためのタブ、あるいは、それの組合せ、または、ユーザがコンピュータに情報を入力することを可能とするその他の適当な構造とすることが可能である。入力手段の適当な構造のためのコンピュータソフトウェアデザインは、プログラミング分野の当業者によく知られている。したがって、これらの構造のための詳細な説明は、ここでは省略される。用語「ユーザインターフェースディスプレイ」は、ユーザに対して情報を表示し、および／または、ユーザがコマンドおよび他の情報を入力することを可能とする適当なスクリーンディスプレイを、概して意味するために使用されており、また、ディスプレイのどのような特定の形態にも限定されず、また、一組の連続したディスプレイを、含むことが可能である。
【００２８】
本発明の実施形態に係るプルーフコピー印刷方法が有する利点は、既存の機能性を強化および単純化し、リソース低減（環境にやさしい機能）に取り組み、かつ、時間およびエラーを最小にすることである。
【００２９】
本印刷方法は、プルーフコピーを印刷する状況に関して上述されているが、その他の実用的な領域において、より一般に適用することが可能である。より一般的には、本発明の実施形態が提供する印刷方法は、ジョブチケットを変更することなく、ユーザが、１つ以上のジョブパラメータを所望の値にセットし、そして、所望のパラメータ値を有する特殊目的の印刷のためのジョブを提出することを可能とする。特殊目的の印刷の間、ユーザによってセットされるパラメータ値は、ジョブチケットにおいて指定される対応するパラメータ値を、一時的にオーバーライドする。パラメータは、単一の印刷の後において自動的に、または、ユーザによる手作業のどちらかにより、ジョブチケットにおいて指定される値にリストアされる。便利なＧＵＩスクリーンが提供されることにより、ユーザが、１つのスクリーン上における特殊目的（例えば、リソース使用量を削減）に関連する全てのパラメータを変更し、そして、パラメータを、ジョブチケットにおいて指定されるオリジナルの値に、容易にリストアすることを可能とする。
【００３０】
本発明の印刷方法において、本発明の意図あるいは範囲から逸脱することなく、各種の修正および変化を為すことが可能であることは、当業者にとって明らかである。したがって、本発明は、添付される請求の範囲およびそれらの等価の範囲内にある修正および変化を包含することを、意図している。
【図１Ａ】
2010092457.tif 000003
【図１Ｂ】
2010092457.tif 000004
【図２】
2010092457.tif 000005
【図３】
2010092457.tif 000006
【外国語明細書】
2010092457000001.pdf
2010092457000002.pdf
2010092457000003.pdf
2010092457000004.pdf